(57)【特許請求の範囲】
【請求項１】
文字列がマーキングされた原稿から前記文字列および前記マークを読み取る読み取り部と、
記憶部と、
前記文字列を登録する文字列登録モードにおいて、
前記原稿を前記読み取り部に読み取らせ、
前記読み取ったマークの位置に基づいて前記注釈を付ける文字列を検出し、
検出した文字列の注釈を辞書で検索し、
前記検出した文字列および前記検索した注釈を前記記憶部に記憶させ、
文章を出力する文章出力モードにおいて、
前記文章を前記ユーザーから受け付け、
前記受け付けた文章を前記記憶部に記憶された文字列と照合し、
前記照合において合致した文字列の注釈を取得し、
前記取得した注釈を前記合致した文字列に対応させて、前記文章と共に出力する制御部と
を備えた
文書管理装置。
【請求項２】
請求項１に記載の文書管理装置であって、
前記ユーザーを識別するユーザー識別子を受け付け可能な入力部をさらに備え、
前記制御部は、
前記文字列登録モードにおいて、
前記検出した文字列を前記ユーザー識別子と紐付けて記憶部に記憶させ、
前記文章出力モードにおいて、
前記ユーザー識別子を前記入力部から取得し、
前記文章を、前記記憶部に記憶され、前記取得したユーザー識別子と紐付けられた文字列と照合する
文書管理装置。
【請求項３】
請求項１または２に記載の文書管理装置であって、
前記ユーザーの属性情報を受け付け可能な入力部をさらに備え、
前記制御部は、
前記文字列登録モードにおいて、
前記検出した文字列を前記属性情報と紐付けて記憶部に記憶させ、
前記文章出力モードにおいて、
前記属性情報を前記入力部から取得し、
前記文章を、前記記憶部に記憶され、前記取得した属性情報と紐付けられた文字列と照合する
文書管理装置。
【請求項４】
請求項１から３のうちいずれか１つに記載の文書管理装置であって、
前記制御部は、
前記文章出力モードにおいて、前記文章を出力するとき、
前記取得した注釈を前記文章内の、前記照合された文字列の近傍に埋め込む
文書管理装置。
【請求項５】
請求項１から３のうちいずれか１つに記載の文書管理装置であって、
前記制御部は、
前記文章出力モードにおいて、前記文章を出力するとき、
前記取得した注釈を前記文章の脚注として出力する
文書管理装置。
【請求項６】
文字列を登録する文字列登録モードにおいて、
前記文字列がマーキングされた原稿から前記文字列および前記マークを読み取る読み取り部に前記原稿を読み取らせ、
前記読み取ったマークの位置に基づいて前記注釈を付ける文字列を検出し、
検出した文字列の注釈を辞書で検索し、
前記検出した文字列および前記検索した注釈を前記記憶部に記憶させ、
文章を出力する文章出力モードにおいて、
前記文章を前記ユーザーから受け付け、
前記受け付けた文章を前記記憶部に記憶された文字列と照合し、
前記照合において合致した文字列の注釈を取得し、
前記取得した注釈を前記合致した文字列に対応させて、前記文章と共に出力する制御部
としてコンピューターを機能させる文書管理プログラム。
【発明の詳細な説明】
【技術分野】
【０００１】
本発明は、文字列に注釈を付加する文書管理装置および文書管理プログラムに関する。
【背景技術】
【０００２】
従来から、国語や外国語の学習では、多読が有効な手段の一つとされている。そして現在では、学習のために、インターネットなどから多くの文章を入手し読むことが出来る。
【０００３】
しかし、インターネットから入手した文章などは、特定のレベルの学習者を対象として作成された文章ではないため、そのままでは語学学習に適しているとは言えなかった。
【０００４】
そのため、例えば、特許文献１において開示された技術では、英語の単語や熟語、言い回しごとに、ユーザーが習得済みのものであれば「習得」の属性を付け、次に習得すべきものであれば「習得中」の属性を付ける。そして、入手した英文を平易な英文に変換する時に、学習を目的とする英文に変換する場合は、「習得」および「習得済」の語に変換する。また、内容の理解を目的とする英文に変換する場合は、「習得済」の語のみを用いて変換する。
【先行技術文献】
【特許文献】
【０００５】
【特許文献１】特開２０１３−７２９７３号公報
【発明の概要】
【発明が解決しようとする課題】
【０００６】
しかし、特許文献１の技術では、使用するデータベース内にテーブル（表）を１１種類も作らなければならなかった。また、このシステムのユーザーは、端末装置から、各単語の習得状況情報、各述語の習得情報、各構文の習得情報、およびユーザー情報を入力しなければならなかった。さらに、このシステムでは、ユーザーが端末装置から入力した情報に基づいて、単語ＩＤ、単語、単語の習得状況、ユーザー名、熟語ＩＤ、熟語、熟語の習得状況、構文ルールＩＤ、および構文の習得状況と、９種類もの情報をデータベースに登録する必要があった。
【０００７】
このように、特許文献１の技術は、複雑であり、構築や運用に非常に手間がかかるという問題があった。
【０００８】
以上のような事情に鑑み、本発明の目的は、ユーザーが手間をかけずに意味を知りたい文字列を登録することが出来ると共に、登録した文字列の意味を簡単に表示させることが出来る文書管理装置および文書管理プログラムを提供することにある。
【課題を解決するための手段】
【０００９】
（１）上記目的を達成するため、本発明の一形態に係る文書管理装置は、文字列がマーキングされた原稿から前記文字列および前記マークを読み取る読み取り部と、記憶部と、前記文字列を登録する文字列登録モードにおいて、前記原稿を前記読み取り部に読み取らせ、前記読み取ったマークの位置に基づいて前記注釈を付ける文字列を検出し、検出した文字列の注釈を辞書で検索し、前記検出した文字列および前記検索した注釈を前記記憶部に記憶させ、文章を出力する文章出力モードにおいて、前記文章を前記ユーザーから受け付け、前記受け付けた文章を前記記憶部に記憶された文字列と照合し、前記照合において合致した文字列の注釈を取得し、前記取得した注釈を前記合致した文字列に対応させて、前記文章と共に出力する制御部とを備えるので、ユーザーが手間をかけずに意味を知りたい文字列を登録することが出来ると共に、登録した文字列の意味を簡単に表示させることが出来る。
【００１０】
（２）上記目的を達成するため、本発明の一形態に係る文書管理装置は、前記ユーザーを識別するユーザー識別子を受け付け可能な入力部をさらに備え、前記制御部は、前記文字列登録モードにおいて、前記検出した文字列を前記ユーザー識別子と紐付けて記憶部に記憶させ、前記文章出力モードにおいて、前記ユーザー識別子を前記入力部から取得し、前記文章を、前記記憶部に記憶され、前記取得したユーザー識別子と紐付けられた文字列と照合する構成でもよい。
【００１１】
（３）上記目的を達成するため、本発明の一形態に係る文書管理装置は、前記ユーザーの属性情報を受け付け可能な入力部をさらに備え、前記制御部は、前記文字列登録モードにおいて、前記検出した文字列を前記属性情報と紐付けて記憶部に記憶させ、前記文章出力モードにおいて、前記属性情報を前記入力部から取得し、前記文章を、前記記憶部に記憶され、前記取得した属性情報と紐付けられた文字列と照合する構成でもよい。
【００１２】
（４）上記目的を達成するため、本発明の一形態に係る文書管理装置では、前記制御部は、前記文章出力モードにおいて、前記文章を出力するとき、前記取得した注釈を前記文章内の、前記照合された文字列の近傍に埋め込む構成でもよい。
【００１３】
（５）上記目的を達成するため、本発明の一形態に係る文書管理装置では、前記制御部は、前記文章出力モードにおいて、前記文章を出力するとき、前記取得した注釈を前記文章の脚注として出力する構成でもよい。
【００１４】
（６）上記目的を達成するため、本発明の一形態に係る文書管理プログラムは、文字列を登録する文字列登録モードにおいて、前記文字列がマーキングされた原稿から前記文字列および前記マークを読み取る読み取り部に前記原稿を読み取らせ、前記読み取ったマークの位置に基づいて前記注釈を付ける文字列を検出し、検出した文字列の注釈を辞書で検索し、前記検出した文字列および前記検索した注釈を前記記憶部に記憶させ、文章を出力する文章出力モードにおいて、前記文章を前記ユーザーから受け付け、前記受け付けた文章を前記記憶部に記憶された文字列と照合し、前記照合において合致した文字列の注釈を取得し、前記取得した注釈を前記合致した文字列に対応させて、前記文章と共に出力する制御部としてコンピューターを機能させる。
【発明の効果】
【００１５】
以上のように、本発明によれば、ユーザーが手間をかけずに意味を知りたい文字列を登録することが出来ると共に、登録した文字列の意味を簡単に表示させることが出来る。
【図面の簡単な説明】
【００１６】
【図１】本発明の文書管理装置の概要について説明するための図である。
【図２】文書管理装置の一般的な構成を示す構成図である。
【図３】文書管理装置を画像形成装置１０として実現する場合の構成図である。
【図４】文書管理装置を、画像形成装置を中心としたクライアント・サーバー型の文書管理システム１００で実現する場合の構成図である。
【図５】文字列登録モードにおける処理の流れについて説明するためのフローチャートである。
【図６】記憶部２１に登録された情報の例を示す図である。
【図７】文章出力モードにおいて、注釈を挿入する文字列を選択する基準となるユーザー識別子ＵＩおよびユーザー属性ＵＺを、ユーザーが指定する方法の例を示す、表示部１８ａの画面例である。
【図８】文章出力モードにおける処理の流れについて説明するためのフローチャートである。
【図９】取得した文章に、ユーザーが指定したユーザー識別子およびユーザー属性に対応する文字列の意味（注釈）が挿入される例を示す図である。
【発明を実施するための形態】
【００１７】
以下、図面を参照しながら、本発明の実施形態を説明する。
［概要］
最初に、本発明の文書管理装置の概要について説明する。図１は、本発明の文書管理装置の概要について説明するための図である。
【００１８】
図１にあるように、本発明の文書管理装置は、文字列登録モードと文章出力モードの２つのモードにおいて動作する。
【００１９】
文字列登録モードでは、ユーザーが意味の分からない文字列など、その文字列に注釈を付けたい文字列を文書管理装置に登録する。登録は、登録したい文字列が書かれた紙原稿上で、例えば登録したい文字列に下線を引くなどして、マーキングして行う。
【００２０】
図１の例では、紙原稿に書かれた「柿くえば鐘が鳴るなり法隆寺」の文章のうち、「鐘」の意味が分からないので注釈を付けたい場合、ユーザーは「鐘」の下に線を引き、文書管理装置に読み込ませる。
【００２１】
このようにして、ユーザーは、分からない文字列など、注釈を付けたい文字列を、紙原稿の文字列にマークすることにより簡単に文書管理装置に登録することが出来る。
【００２２】
文書管理装置は、「鐘」を読み込んで、辞書で検索し、「打ち鳴らすための器具」という意味（注釈）を取得する。
【００２３】
次に、文章出力モードでは、図１に示すように、文書管理装置が、ユーザーから出力する文章の基となるテキストデータを取得する。このテキストデータは、文字登録モードで読み込んだ原稿に限らず、任意の文章である。
【００２４】
文書管理装置には「鐘」が登録してあるので、テキストデータの「鐘」の後ろに、「鐘」の注釈である「打ち鳴らすための器具」が挿入される。注釈が挿入された文章は、表示装置での表示や印刷装置での印刷により、ユーザーに提示される。
【００２５】
このようにして、ユーザーは簡単に出力する文章に、登録した文字列の注釈を挿入することが出来る。
【００２６】
以上、本発明の文書管理装置の概要について説明した。
【００２７】
［構成］
次に、本発明の文書管理装置の構成について説明する。なお、以下では、最初に文書管理装置の一般的な構成を説明する。その後、文書管理装置を１つの画像形成装置（ＭＦＰ、Multifunction Peripheral）として実現した実施形態の構成を説明する。さらに、文書管理装置を、ネットワークを介したクライアント・サーバー型の構成で実現する場合の構成についても説明する。
【００２８】
（一般的な文書管理装置の構成）
図２は、文書管理装置１の一般的な構成を示す構成図である。文書管理装置１は、スキャナー２、情報処理装置３、出力装置９を備えている。
【００２９】
スキャナー２は、文字列登録モードにおいて原稿を読み込んだり、文章出力モードにおいて、出力する文章の基となる文章を読み込んだりする。
【００３０】
出力装置９は、ディスプレイなどの表示装置や、プリンターなどの印刷装置、ネットワーク上の外部機器にデータを送信するネットワーク機器などであり、注釈が挿入された文章を出力するものである。
【００３１】
情報処理装置３は、一般的なコンピューターを用いて実現することが出来る。情報処理装置３は、ＯＣＲ（Optical Character Recognition）処理部４、記憶部５、入力部６、制御部７、辞書８を備えている。
【００３２】
ＯＣＲ処理部４は、スキャナー２で読み込んだ原稿のイメージデータから文字を認識し、電子的なテキストデータを生成する。なお、スキャナー２およびＯＣＲ処理部４を合わせたものが、読み取り部に相当する。
【００３３】
記憶部５は、ユーザーが登録した文字列やその意味、ユーザー識別子（後述）、ユーザー属性（後述）などを記憶する。
【００３４】
入力部６は、ユーザーのユーザー識別子やユーザー属性の入力を受け付ける。
【００３５】
制御部７は、上述した２つのモードにおける処理を実行する。
【００３６】
辞書８は、数多くの文字列とその意味（注釈）が登録されている。
【００３７】
以上が、一般的な文書管理装置１の構成である。
【００３８】
（文書管理装置を画像形成装置で実現した構成）
次に、文書管理装置を画像形成装置として実現する場合の構成について説明する。図３は、文書管理装置を画像形成装置１０として実現する場合の構成図である。
【００３９】
画像形成装置１０は、制御部１１を備える。制御部１１は、ＣＰＵ（Central Processing Unit）、ＲＡＭ（Random Access Memory）、ＲＯＭ（Read Only Memory）、および専用のハードウェア回路等から構成され、画像形成装置１０の全体的な動作制御を司る。
【００４０】
制御部１１は、画像読取部１２、画像処理部１３、画像メモリー１４、画像形成部１５、辞書部１６、操作部１８、ファクシミリ通信部１９、ネットワークインターフェイス部２０、記憶部２１等と接続されている。制御部１１は、接続されている上記各部（ブロック）の動作制御や、各ブロックとの間での信号又はデータの送受信を行う。
【００４１】
制御部１１は、ユーザーから、操作部１８またはネッワーク接続されたＰＣ等を通じて入力されるジョブの実行指示に従って、スキャナー機能、印刷機能、コピー機能、およびファクシミリ送受信機能などの各機能についての動作制御を実行するために必要な機構の駆動及び処理を制御する。
【００４２】
また、制御部１１は、ＯＣＲ処理部１１ａを有している。ＯＣＲ処理部１１ａは、ＲＯＭなどからＲＡＭにロードされたプログラムがＣＰＵにより実行されることで実現される機能ブロックである。
【００４３】
ＯＣＲ処理部１１ａは、図２のＯＣＲ処理部４に相当する。
【００４４】
画像読取部１２は、原稿から画像を読み取るものであり、図２のスキャナー２に相当する。
【００４５】
画像処理部１３は、画像読取部１２で読み取られた画像の画像データを必要に応じて画像処理する。例えば、画像処理部１３は、画像読取部１２により読み取られた画像が画像形成された後の品質を向上させるために、シェーディング補正等の画像処理を行う。
【００４６】
画像メモリー１４は、画像読取部１２による読み取りで得られた原稿画像のデータを一時的に記憶したり、画像形成部１５での印刷対象となるデータを一時的に記憶したりする領域である。
【００４７】
画像形成部１５は、画像読取部１２で読み取られた画像データ等の画像形成を行う。
【００４８】
辞書部１６は、図２の辞書８に相当するものである。
【００４９】
操作部１８は、画像形成装置１０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１８ａを備えている。図２の入力部６に相当する。
【００５０】
ファクシミリ通信部１９は、図示しない符号化／復号化部、変復調部、およびＮＣＵ（Network Control Unit）を備え、公衆電話回線網を用いてのファクシミリの送信を行う。
【００５１】
ネットワークインターフェイス部２０は、ＬＡＮボード等の通信モジュールから構成され、ネットワークインターフェイス部２０に接続されたＬＡＮ等を介して、ローカルエリア内の装置(サーバー、ＰＣ等の外部機器)と種々のデータの送受信を行う。
【００５２】
記憶部２１は、画像読取部１２によって読み取られた原稿画像等を記憶したり、文字列登録モードにおいて登録される文字列やその注釈などを記憶したりする。記憶部２１は、ＨＤＤ（Hard Disk Drive）などの大容量の記憶装置である。
【００５３】
以上、文書管理装置を画像形成装置として実現する場合の構成について説明した。
【００５４】
（文書管理装置をクライアント・サーバー型で実現した構成）
次に、文書管理装置を、画像形成装置を中心としたクライアント・サーバー型の文書管理システムで実現する構成について説明する。図４は、文書管理装置を、画像形成装置を中心としたクライアント・サーバー型の文書管理システム１００で実現する場合の構成図である。
【００５５】
文書管理システム１００は、画像形成装置４０、辞書サーバー５０、およびデータベース（ＤＢ）サーバー６０がネットワークを介して通信することにより実現される。
【００５６】
辞書サーバー５０は、図２の辞書８または図３の辞書部１６に相当するものである。辞書サーバー５０は、インターネット上で提供されている、任意の数の一般的な辞書サーバーを用いて実現することも出来る。
【００５７】
ＤＢサーバー６０は図２の記憶部５または図３の記憶部２１に相当するものであり、ユーザーが登録する文字列や、その意味（注釈）、ユーザー識別子、ユーザー属性を記憶する。
【００５８】
画像形成装置４０は、図３に示す画像形成装置１０から、辞書サーバー５０およびＤＢサーバー６０が担当する機能を省いたものである。
【００５９】
以上、文書管理装置を、画像形成装置を中心としたクライアント・サーバー型の文書管理システムで実現する構成について説明した。
【００６０】
［文字列登録モードの処理の流れ］
次に、文字列登録モードにおける処理の流れについて説明する。図５は、文字列登録モードにおける処理の流れについて説明するためのフローチャートである。なお、以下の説明では、図３に示した、文書管理装置を１つの画像形成装置１０として実施する例を用いて説明する。
【００６１】
まず、制御部１１が操作部１８を介して、ユーザーのログイン処理を行う（ステップＳ１）。この処理により、文字列がマーキングされた原稿を読み込ませるユーザーと、予め登録されているユーザー識別子（ユーザーＩＤ）やユーザー属性との対応が取られる。
【００６２】
なお、ここでいうユーザー識別子とは、例えば、ユーザーの名前や、ログインＩＤ、社員番号など、画像形成装置１０がユーザーを識別することが出来るユーザー情報のことである。
【００６３】
また、ユーザー属性とは、例えば、ユーザーの語彙レベル、専門分野、所属などであり、ユーザーが自由に設定可能な情報である。
【００６４】
次に、画像読取部１２が文字列にマーキングが施された原稿を読み込む（ステップＳ２）。
【００６５】
次に、ＯＣＲ処理部１１ａが読み込まれた原稿に記入されたマークの位置に基づいて、ユーザーが登録する文字列を走査する（ステップＳ３）。
【００６６】
次に、制御部１１は、マーキングされた文字列が存在するか否かを判断する（ステップＳ４）。
【００６７】
マーキングされた文字列が存在する場合（ステップＳ３のＹｅｓ）、制御部１１は、まず、マーキングされた文字列の意味（注釈）を、辞書部１６を用いて検索する（ステップＳ５）。
【００６８】
次に、制御部１１は、辞書部１６にマーキングされた文字列が存在するか否かを判断する（ステップＳ６）。
【００６９】
辞書部１６にマーキングされた文字列が存在する場合（ステップＳ６のＹｅｓ）、制御部１１は、記憶部２１に、マーキングされた文字列、文字列の意味、対応するユーザー識別子、対応するユーザー属性の４つの情報を記憶させる（ステップＳ７）。
【００７０】
ステップＳ５からＳ７までの処理は、マーキングされた文字列ごとに繰り返し行われる。
【００７１】
以上、文字列登録モードにおける処理の流れについて説明した。
【００７２】
［登録例］
次に、記憶部２１に登録された情報の例を説明する。図６は、記憶部２１に登録された情報の例を示す図である。
【００７３】
１つのエントリーは、文字列ＭＲ、文字列ＭＲの意味（注釈）ＣＳ、文字列ＭＲを登録したユーザーのユーザー識別子ＵＩ、および文字列ＭＲを登録したユーザーのユーザー属性ＵＺから構成される。
【００７４】
例えば、最初のエントリーＥ１には、文字列ＭＲとして「祇園精舎」が、意味ＣＳとして「寺院の名前」が、ユーザー識別子ＵＩとして「佐藤」が、ユーザー属性ＵＺとして「中学生」が登録されている。
【００７５】
以上、記憶部２１に登録された情報の例を説明した。
【００７６】
［ユーザー識別子およびユーザー属性の指定方法の例］
次に、文章出力モードにおいて、注釈を挿入する文字列を選択する基準となるユーザー識別子ＵＩおよびユーザー属性ＵＺを、ユーザーが指定する方法の例を説明する。図７は、文章出力モードにおいて、注釈を挿入する文字列を選択する基準となるユーザー識別子ＵＩおよびユーザー属性ＵＺを、ユーザーが指定する方法の例を示す、表示部１８ａの画面例である。
【００７７】
図７に示した表示部１８ａの画面例では、左側に、記憶部２１に記憶されているユーザー識別子ＵＩの一覧が表示され、右側に、記憶部２１に記憶されているユーザー属性ＵＺの一覧が表示されている。
【００７８】
そして、図７は、ユーザーがユーザー識別子ＵＩとして「佐藤」を選択し、ユーザー属性として「小学生」を選択した状態を示している。
【００７９】
図６に示す情報が記憶部２１に記憶されており、ユーザー識別子ＵＩとして「佐藤」が選択され、ユーザー属性として「小学生」が選択された場合、制御部１１は、「佐藤」に該当するエントリーＥ１およびＥ２を抽出し、更に「小学生」に該当するエントリーＥ４を抽出する。
【００８０】
その結果、出力する文章に「祇園精舎」、「諸行無常」、および「鐘」の文字列があった場合、これらの文字列に対応する注釈が、文章と共に出力される。
【００８１】
以上、文章出力モードにおいて、注釈を挿入する文字列を選択する基準となるユーザー識別子ＵＩおよびユーザー属性ＵＺを、ユーザーが指定する方法の例を説明した。
【００８２】
［文章出力モードの処理の流れ］
次に、文章出力モードにおける処理の流れについて説明する。図８は、文章出力モードにおける処理の流れについて説明するためのフローチャートである。なお、以下の説明では、図３に示した、文書管理装置を１つの画像形成装置１０として実施する例を用いて説明する。
【００８３】
まず、制御部１１がユーザーから、出力する文章の基になる文章を取得し、取得した文章が電子的なテキストデータであるか否かを判断する（ステップＳ１０）。文章の取得方法としては、例えば、画像読取部１２を用いてイメージデータとして取得する方法や、ネットワークを介してＰＣ（Personal Computer）などの外部機器から受信する方法がある。
【００８４】
取得した文章が電子的なテキストデータではない場合（ステップＳ１０のＮｏ）、そのままでは以降の処理が行えないので、制御部１１は、ＯＣＲ処理部１１ａを用いて、読み込んだイメージデータを電子的なテキストデータに変換する（ステップＳ１１）。
【００８５】
次に、制御部１１は、取得した文章と、記憶部２１に記憶された、上述した指定方法などによりユーザーが指定したユーザー識別子およびユーザー属性に対応する文字列とを照合する（ステップＳ１２）。
【００８６】
次に、制御部１１は、取得した文章中に、ユーザーが指定したユーザー識別子およびユーザー属性に対応する文字列が存在するか否かを判断する（ステップＳ１３）。
【００８７】
ユーザーが指定したユーザー識別子およびユーザー属性に対応する文字列が存在する場合（ステップＳ１３のＹｅｓ）、制御部１１は、取得した文章中の、該当する文字列の直後に、ユーザーが指定したユーザー識別子およびユーザー属性に対応する文字列の意味（注釈）を挿入する（ステップＳ１４）。
【００８８】
なお、ここでは、取得した文章中の、ユーザーが指定したユーザー識別子およびユーザー属性に対応する文字列の直後に、ユーザーが指定したユーザー識別子およびユーザー属性に対応する文字列の意味（注釈）を挿入したが、この構成に限らず、例えば、ユーザーが指定したユーザー識別子およびユーザー属性に対応する文字列の意味（注釈）を脚注として付加してもよい。
【００８９】
また、取得した文章中の、ユーザーが指定したユーザー識別子およびユーザー属性に対応する文字列からバルーンを引き出して、そのバルーン内に対応する意味（注釈）を記入する構成でもよい。
【００９０】
次に、制御部１１は、挿入に応じて出力する文章を整形するために、挿入した注釈の文字数だけ文章の改行位置を調整する（ステップＳ１５）。調整は、改行位置を前にずらすなどして行うことが出来る。
【００９１】
ステップＳ１４およびＳ１５の処理は、注釈を挿入する文字列ごとに繰り返して行われる。
【００９２】
ユーザーが指定したユーザー識別子およびユーザー属性に対応する文字列が存在しない場合（ステップＳ１３のＮｏ）、制御部１１は、作成した文章の印字処理を行う（ステップＳ１６）。
【００９３】
次に、制御部１１は、必要に応じて、裏写り除去や画像の回転など、その他の画像処理を行う（ステップＳ１７）。
【００９４】
以上、文章出力モードにおける処理の流れについて説明した。
【００９５】
［注釈の挿入例］
最後に、取得した文章に、ユーザーが指定したユーザー識別子およびユーザー属性に対応する文字列の意味（注釈）が挿入される例を説明する。図９は、取得した文章に、ユーザーが指定したユーザー識別子およびユーザー属性に対応する文字列の意味（注釈）が挿入される例を示す図である。
【００９６】
この例では、図６に示す情報が記憶部２１に記憶されており、図７に示すユーザー識別子およびユーザー属性が指定されたことを前提としている。
【００９７】
そのため、「祇園精舎」、「鐘」、および「諸行無常」の文字列の直後に、これらの文字列の意味（注釈）が挿入され、改行位置が調整されている。
【００９８】
以上、取得した文章に、ユーザーが指定したユーザー識別子およびユーザー属性に対応する文字列の意味（注釈）が挿入される例を説明した。
【００９９】
［補足事項］
その他、本技術は、上述の実施形態にのみ限定されるものではなく、本技術の要旨を逸脱しない範囲内において種々変更を加え得ることは勿論である。
【符号の説明】
【０１００】
１  …  文書管理装置
２  …  スキャナー
３  …  情報処理装置
４  …  ＯＣＲ処理部
５  …  記憶部
６  …  入力部
７  …  制御部
８  …  辞書
９  …  出力装置
１０  …  画像形成装置
１１  …  制御部
１１ａ…  ＯＣＲ処理部
１２  …  画像読取部
１３  …  画像処理部
１４  …  画像メモリー
１５  …  画像形成部
１６  …  辞書部
１８  …  操作部
１８ａ…  表示部
１９  …  ファクシミリ通信部
２０  …  ネットワークインターフェイス部
２１  …  記憶部
４０  …  画像形成装置
５０  …  辞書サーバー
６０  …  データベースサーバー
１００  …  文書管理システム
【図１】
0005961656.tif 000002
【図２】
0005961656.tif 000003
【図３】
0005961656.tif 000004
【図４】
0005961656.tif 000005
【図５】
0005961656.tif 000006
【図６】
0005961656.tif 000007
【図７】
0005961656.tif 000008
【図８】
0005961656.tif 000009
【図９】
0005961656.tif 000010